(57)【特許請求の範囲】
【請求項１】
冷凍機を収納する機械室の正面に吸気口を備え、背面に排気口を備えた冷凍機内蔵型ショーケースにおいて、
前記機械室の側面の開口に、開口部を持たない外装パネルを装着可能にすると共に、この外装パネルを取り外して、ダクトがねじ止めされたファン本体を装着してその上に開口部を有する外装パネルを当てて構成される排熱装置を装着可能としたことを特徴とする冷凍機内蔵型ショーケース。
【請求項２】
冷凍機を収納する機械室の正面に吸気口を備え、背面に排気口を備えた冷凍機内蔵型ショーケースにおいて、
前記機械室の両側面の開口に、開口部を持たない外装パネルを各々装着可能にすると共に、これら外装パネルを取り外して、ダクトがねじ止めされたファン本体を装着してその上に開口部を有する外装パネルを当てて構成される排熱装置を各々装着可能とし、各排熱装置の運転スイッチを設けたことを特徴とする冷凍機内蔵型ショーケース。
【請求項３】
背面と側面又は背面同志を対向させて複数のショーケースを配置した時、開放面側に位置する前記側面に排熱装置を設けたことを特徴とする請求項１又は２記載の冷凍機内蔵型ショーケース。
【請求項４】
前記機械室に設けた電装箱に排熱装置の電源コードを接続したことを特徴とする請求項１乃至３記載の冷凍機内蔵型ショーケース。
【発明の詳細な説明】
【０００１】
【発明の属する技術分野】
本発明は、冷凍機内蔵型ショーケースの構造に関する。
【０００２】
【従来の技術】
一般に、圧縮機、凝縮器等で構成される冷凍機を収納する機械室の正面の外装パネルに吸気口を備え、背面に排気口を備えた冷凍機内蔵型ショーケースが知られている。この種の冷凍機内蔵型ショーケースは冷凍機別置型ショーケースとは異なり、冷凍機との接続配管が不要になるので、ショーケースの電源コードを外した後に、店舗内を容易に移動させることができ、店舗内でのショーケースの自由なレイアウトが可能になるという利点を有している。
【０００３】
【発明が解決しようとする課題】
しかしながら、上述の冷凍機内蔵型ショーケースでは背面に排気口を備えるので、各ショーケースの背面同志を対向させてレイアウトした場合、排気口から排気される排気抵抗が大きくなるので、その分だけ吸気量が減少し、凝縮器の強制空冷が不十分となり、冷凍機の凝縮圧力が上昇し、冷却性能が低下するだけでなく、圧縮機温度が上昇し、各種機器類に悪影響を及ぼすという問題がある。これを解消するため、各ショーケースの正面同志を対向させてレイアウトすることが提案される。
【０００４】
しかしながら、これだと排気口が接客側の開放面側に位置するので、買物客の方向に排気されるという問題がある。また、吸気口に設けたフィルタが中央部に位置するので当該フィルタの清掃が困難になり、しかもショーケースの正面に設けた温度計、操作パネル等が同じく中央部に位置するので温度計が見難くなると共に、温度調節等の操作をし難くなる等の問題がある。
【０００５】
そこで、本発明の目的は、店舗内でショーケースを自由にレイアウトしても、冷凍機を構成する各種機器類に悪影響を及ぼすことの少ない冷凍機内蔵型ショーケースを提供することにある。
【０００６】
【課題を解決するための手段】
請求項１記載の発明は、冷凍機を収納する機械室の正面に吸気口を備え、背面に排気口を備えた冷凍機内蔵型ショーケースにおいて、前記機械室の側面の開口に、開口部を持たない外装パネルを装着可能にすると共に、この外装パネルを取り外して、ダクトがねじ止めされたファン本体を装着してその上に開口部を有する外装パネルを当てて構成される排熱装置を装着可能としたことを特徴とするものである。
【０００７】
この発明では、機械室の側面に着脱自在に排熱装置を設けたので、各ショーケースの背面同志を対向させてレイアウトしても、排熱装置を通じてショーケースの側面に排気されるので、冷凍機を構成する各種機器類に温度上昇はなく、しかも排熱装置を取り外せば通常のショーケースとしての使用が可能になる。
【０００８】
請求項２記載の発明は、冷凍機を収納する機械室の正面に吸気口を備え、背面に排気口を備えた冷凍機内蔵型ショーケースにおいて、前記機械室の両側面の開口に、開口部を持たない外装パネルを各々装着可能にすると共に、これら外装パネルを取り外して、ダクトがねじ止めされたファン本体を装着してその上に開口部を有する外装パネルを当てて構成される排熱装置を各々装着可能とし、各排熱装置の運転スイッチを設けたことを特徴とするものである。
【０００９】
この発明では、機械室の両側面に夫々排熱装置が設けられるため、排熱可能な方向に位置する排熱装置の運転スイッチを操作することにより、この排熱装置を通じてショーケースの側面に排気されるので、冷凍機を構成する各種機器類に温度上昇はなく、しかも排熱装置を取り外せば通常のショーケースとしての使用が可能になる。
【００１０】
請求項３記載の発明は、請求項１又は２記載のものにおいて、背面と側面又は背面同志を対向させて複数のショーケースを配置した時、開放面側に位置する側面に排熱装置を設けたことを特徴とする。
【００１１】
この発明では、背面と側面又は背面同志を対向させて複数のショーケースを配置しても、開放面側に位置する前記側面に排熱装置が設けられ、当該排熱装置を通じてショーケースの側面に排気されるので、冷凍機を構成する各種機器類に温度上昇はなく、しかも排熱装置を取り外せば通常のショーケースとしての使用が可能になる。
【００１２】
請求項４記載の発明は、請求項１乃至３記載のものにおいて、前記機械室に設けた電装箱に排熱装置の電源コードを接続したことを特徴とする。
【００１３】
この発明では、前記排熱装置を機械室の側面に取り付けた時の当該排熱装置と電装箱とのコードの接続が容易になる。
【００１４】
【発明の実施の形態】
以下、本発明の一実施形態を図面に基づいて説明する。
【００１５】
図１は、二台の冷凍機内蔵型ショーケースを並べて配置した状態を示す断面図である。従って、各ショーケースは構造は同じであるものゝ、図１中では左右対称に描かれている。符号１は平型ショーケースを示す。この平型ショーケース１は断熱箱体（ショーケース本体）２を備え、この断熱箱体２の上部には開口面３が形成され、この開口面３の下方には、商品を陳列・冷却する貯蔵室５が形成されている。この貯蔵室５の周囲には冷気通路７が設けられている。この冷気通路７には冷却器用送風機２９と冷却器３１とが設けられている。そして、冷気通路７の上流側に位置する吸込口２７から冷却器用送風機２９を通じて吸い込まれた冷気が、冷却器３１で冷却され、吹出口３４から吹き出され、ショーケース１の開口面３には点線で示すようにエアーカーテンＡが形成されている。
【００１６】
また、平型ショーケース１の下部には冷凍機を収納する機械室１３が形成されている。１５はショーケース移動用のキャスタである。
【００１７】
この機械室１３には、図２ａに示すように、冷凍機を構成する凝縮器１７と凝縮器用送風機１９と圧縮機２１と電装箱２０とが設けられている。この機械室１３は外装パネル２２で囲まれ、図２ａ、ｂに示すように、正面の外装パネル２２には吸気口２３が形成され、背面の外装パネル２２には排気口２５が形成されている。凝縮器用送風機１９が回転すると、外気が、矢印Ａで示すように、吸気口２３を介して機械室１３に進入し、機械室１３内の各種機器類を冷却して、矢印Ｂで示すように、排気口２５を介して排気される。
【００１８】
図１を参照して、ショーケース１を図示のように配置した場合、各ショーケース１の排気口２５同志が対向している。従って、このまゝでは排気口２５から排気される排気抵抗が大きくなるので、その分だけ吸気量が減少し、凝縮器１７の強制空冷が不十分となり、冷凍機の凝縮圧力が上昇し、冷却性能が低下するだけでなく、圧縮機２１温度が上昇し、各種機器類に悪影響を及ぼすことになる。
【００１９】
この実施形態では、図２ａに示すように、機械室１３の側面に排熱装置４１が着脱自在に装着される。この排熱装置４１は、図３に示すように、ファン本体４３とダクト４５と外装パネル４７とで構成されている。この排熱装置４１を機械室１３の側面に取り付ける場合、まず側面に取り付けられている通常の開口部を持たない外装パネル２２を取り外す。そして、ファン本体４３とダクト４５とをねじ止めした後、このファン本体４３を機械室１３の側面に装着すると共に、その上に開口部４７ａを有する外装パネル４７を宛って、この外装パネル４７とファン本体４３のフランジと当該機械室１３を囲うフレーム４８（図２ａ）とを一体にねじ止めする。
【００２０】
ファン本体４３は軸流ファン４３ａを駆動するモータを一体的に備え、このモータから延びる電源コード４３ｂは、図２に示す電装箱２０内の端子板（図示せず）に接続される。従って、接続は容易である。
【００２１】
この実施形態では、機械室１３の側面に排熱装置４１が設けられるので、図１に示すように、各ショーケースの背面同志を対向させて配置しても、排熱装置４１を通じて機械室１３内の熱がショーケースの側面に排気されるので、機械室１３に熱がこもることがなく、冷凍機を構成する各種機器類に温度上昇がない。また、吸気口２３に設けたフィルタ２３ａが正面に位置するので、このフィルタ２３ａの清掃は容易である。しかもショーケース１の正面に設けた温度計５１、操作パネル５３等がショーケースの正面に位置するので、温度計５１が見易く、温度調節等の操作が容易である。
【００２２】
なお、排熱装置４１を取り外して通常の開口無し外装パネル２２を取り付ければ、通常のショーケースとしての使用が可能である。
【００２３】
図１に示す配置状態を平面図で示すと図４に示す配置状態になる。白抜き矢印は吸気を示し、黒色矢印は排気を示している。
【００２４】
この実施形態では、排熱装置４１が着脱自在に構成されているので、この排熱装置４１を機械室１３の両側面の内、いずれか一方の側面に取り付けることにより、例えば図５〜図７に示すように、各平型ショーケース１を店舗内で自由にレイアウトすることが可能になる。
【００２５】
言い換えれば、各平型ショーケース１を例えば背面と背面、又は背面と側面を対向させてレイアウトする時、接客側の開放面側に位置する側面に排熱装置４１を取り付けることにより、排熱装置４１を通じて機械室１３内の熱がショーケースの側面に排気されるので、機械室１３に熱がこもることがなく、冷凍機を構成する各種機器類に温度上昇がない。
【００２６】
また、吸気口２３に設けたフィルタ２３ａが必ず正面に位置するので、各フィルタ２３ａの清掃は容易である。
【００２７】
しかもショーケース１の正面に設けた温度計５１、操作パネル５３等が、必ずショーケースの正面に位置するので、温度計５１が見易く、温度調節等の操作が容易である等の効果を奏する。
【００２８】
この排熱装置４１は機械室１３の一方の側面に設けることに限定されず、両方の側面に設け、両側面から排熱できるようにしてもよい。この場合には、排熱装置４１の運転スイッチ（図示せず）を、例えば各外装パネル４７に取り付けることが望ましい。こうしておけば、必要な場合に、必要な排熱装置４１の運転スイッチを操作して、機械室１３にこもる熱を排熱することができるので、如何なるレイアウトにも対応できるようになる。
【００２９】
以上、一実施形態に基づいて本発明を説明したが、本発明はこれに限定されるものではない。この排熱装置４１における軸流ファン４３は連続運転させる、或いは冷凍機の運転に同期運転させる等が提案される。本実施形態の排熱装置４１は、既に市販されたショーケースにも後付け的に取付けが可能である。また、本実施形態は、例えば平型ショーケースに限定されるものではなく、ショーケースを複数台並べて店舗内にいわゆる「島」を作りこの「島」で商品販売するような全てのショーケースに適用が可能である。
【００３０】
【発明の効果】
この発明では、機械室の側面に着脱自在に排熱装置を設けたので、各ショーケースの背面同志を対向させてレイアウトしても、排熱装置を通じてショーケースの側面に排気されるので、冷凍機を構成する各種機器類に温度上昇はなく、しかも排熱装置を取り外せば通常のショーケースとしての使用が可能になる。
【００３１】
この発明では、機械室の両側面に夫々排熱装置が設けられるため、排熱可能な方向に位置する排熱装置の運転スイッチを操作することにより、この排熱装置を通じてショーケースの側面に排気されるので、冷凍機を構成する各種機器類に温度上昇はなく、しかも排熱装置を取り外せば通常のショーケースとしての使用が可能になる。
【００３２】
この発明では、背面と側面又は背面同志を対向させて複数のショーケースを配置しても、開放面側に位置する前記側面に排熱装置が設けられ、当該排熱装置を通じてショーケースの側面に排気されるので、冷凍機を構成する各種機器類に温度上昇はなく、しかも排熱装置を取り外せば通常のショーケースとして使用が可能になる。
【００３３】
この発明では、排熱装置を機械室の側面に取り付けた時の当該排熱装置と電装箱とのコードの接続が容易になる。
【図面の簡単な説明】
【図１】本発明の一実施形態を示す断面図である。
【図２】ａはショーケースの平面図、ｂは側面図である。
【図３】排熱装置を示す斜視図である。
【図４】２台のショーケースのレイアウト図である。
【図５】３台のショーケースのレイアウト図である。
【図６】４台のショーケースのレイアウト図である。
【図７】４台のショーケースの別のレイアウト図である。
【符号の説明】
１  平型ショーケース
５  貯蔵室
７  冷気通路
１３  機械室
１７  凝縮器
１９  凝縮器用送風機
２０  電装箱
２１  圧縮機
２２  外装パネル
２３  吸気口
２５  排気口
４１  排熱装置
４３  ファン本体
４５  ダクト
４７  外装パネル
５１  温度計
５３  操作パネル
【図１】
0003863658.tif 000002
【図２】
0003863658.tif 000003
【図３】
0003863658.tif 000004
【図４】
0003863658.tif 000005
【図５】
0003863658.tif 000006
【図６】
0003863658.tif 000007
【図７】
0003863658.tif 000008